(57)【要約】【課題】経時的な変形によって被取付部材に対するガタつきが生じることを抑える保持装置を提供する。【解決手段】保持装置は、取付孔に取り付けられるベース部材２２と、ベース部材２２に回転可能に支持される荷掛部材２０と、を備える。荷掛部材２０は、回転位置によって表側に張り出す張出状態および裏側に収容される収容状態を取り、張出状態で所定部材を保持する保持部２４を有する。ベース部材２２は、荷掛部材を囲う枠部と、枠部の一辺から延出し、被取付部材１２の裏側部分に係止する爪部５０と、枠部の一辺から立設し、爪部５０の先端より取付孔に近い位置で被取付部材の裏側部分に係止する立設部５２と、を有する。【選択図】図５
2018179218.tif 000002
【特許請求の範囲】
【請求項１】
被取付部材の取付孔に取り付けられ、所定部材を保持する保持装置であって、
取付孔に取り付けられるベース部材と、
前記ベース部材に回転可能に支持される荷掛部材と、を備え、
前記荷掛部材は、回転位置によって表側に張り出す張出状態および裏側に収容される収容状態を取り、張出状態で所定部材を保持する保持部を有し、
前記ベース部材は、
前記荷掛部材を囲う枠部と、
前記枠部の一辺から延出し、被取付部材の裏側部分に係止する爪部と、
前記枠部の一辺から立設し、前記爪部の先端より取付孔に近い位置で被取付部材の裏側部分に係止する立設部と、を有することを特徴とする保持装置。
【請求項２】
前記荷掛部材は、前記荷掛部材が収容状態から張出状態へ移行する回転によって前記爪部に摺動し、張出状態で前記爪部に当接する当接部を有することを特徴とする請求項１に記載の保持装置。
【請求項３】
前記当接部は、張出状態において前記枠部に当接可能であることを特徴とする請求項２に記載の保持装置。
【請求項４】
前記荷掛部材は、前記保持部に所定部材を保持させた際に生じる荷掛部材の回転モーメントによって前記爪部を被取付部材の裏側部分に押し当てる押し当て部を有することを特徴とする請求項１から３のいずれかに記載の保持装置。
【請求項５】
前記押し当て部は、張出状態において被取付部材の裏側から面直方向に見て前記爪部の少なくとも一部を覆い、
前記爪部は、前記荷掛部材が収容状態から張出状態へ移行する際の前記押し当て部の回転軌跡上に重なって位置することを特徴とする請求項４に記載の保持装置。
【請求項６】
被取付部材の取付孔に取り付けられ、所定部材を保持する保持装置であって、
取付孔に取り付けられるベース部材と、
前記ベース部材に回転可能に支持される荷掛部材と、を備え、
前記荷掛部材は、回転位置によって表側に張り出す張出状態および裏側に収容される収容状態を取り、張出状態で所定部材を保持する保持部を有し、
前記ベース部材は、
前記荷掛部材を囲う枠部と、
前記枠部から延出し、被取付部材の裏側部分に係止する爪部と、を有し、
前記荷掛部材は、前記保持部に所定部材を保持させた際に生じる荷掛部材の回転モーメントによって前記爪部を被取付部材の裏側部分に押し当てることを特徴とする保持装置。
【発明の詳細な説明】
【技術分野】
【０００１】
本発明は、回転可能な荷掛部材を備える保持装置に関する。
【背景技術】
【０００２】
車両の室内に設けられるフック装置は、ロープなどを掛けるために使用される（特許文献１等参照）。特許文献１に記載のフック装置は、取付孔に取り付けられる枠状のベース部材と、ベース部材に回転可能に支持されるフック部材とにより構成される。
【０００３】
特許文献１に記載のベース部材は、矩形環状のフランジ部と、フランジ部から突出する周壁と、周壁の上辺から円弧状に延出する引掛け片と、周壁の下辺から延出する係合片を有する。このベース部材は、フランジ部が取付孔の表側の縁に係止し、引掛け片および係合片が取付孔の裏側の縁に係止することで、取付孔に取り付けられる。
【先行技術文献】
【特許文献】
【０００４】
【特許文献１】国際公開２０１４／１９９７６８号
【発明の概要】
【発明が解決しようとする課題】
【０００５】
特許文献１に記載のフック部材にロープなどを掛けた場合、ロープなどからの荷重により回転モーメントが生じて、フック部材がベース部材の上部側を裏側から面直方向に押す。この回転モーメントによってベース部材の上辺側に位置する引掛け片が被取付部材から反力を受けて撓み、経時的には変形するおそれがあり、フック装置が被取付部材に対してガタつく可能性がある。
【０００６】
本発明はこのような課題に鑑みてなされたものであり、その目的は、経時的な変形によって被取付部材に対するガタつきが生じることを抑える保持装置を提供することにある。
【課題を解決するための手段】
【０００７】
上記課題を解決するために、本発明のある態様は、被取付部材の取付孔に取り付けられ、所定部材を保持する保持装置であって、取付孔に取り付けられるベース部材と、ベース部材に回転可能に支持される荷掛部材と、を備える。荷掛部材は、回転位置によって表側に張り出す張出状態および裏側に収容される収容状態を取り、張出状態で所定部材を保持する保持部を有する。ベース部材は、荷掛部材を囲う枠部と、枠部の一辺から延出し、被取付部材の裏側部分に係止する爪部と、枠部の一辺から立設し、爪部の先端より取付孔に近い位置で被取付部材の裏側部分に係止する立設部と、を有する。
【０００８】
本発明の別の態様もまた、保持装置である。この保持装置は、取付孔に取り付けられるベース部材と、ベース部材に回転可能に支持される荷掛部材と、を備える。荷掛部材は、回転位置によって表側に張り出す張出状態および裏側に収容される収容状態を取り、張出状態で所定部材を保持する保持部を有する。ベース部材は、荷掛部材を囲う枠部と、枠部から延出し、被取付部材の裏側部分に係止する爪部と、を有する。荷掛部材は、保持部に所定部材を保持させた際に生じる荷掛部材の回転モーメントによって爪部を被取付部材の裏側部分に押し当てる。
【発明の効果】
【０００９】
本発明によれば、経時的な変形によって被取付部材に対するガタつきが生じることを抑える保持装置を提供できる。
【図面の簡単な説明】
【００１０】
【図１】被取付部材に取り付けた状態の保持装置の斜視図である。
【図２】保持装置および被取付部材の分解図である。
【図３】図３（ａ）は、荷掛部材の側面図であり、図３（ｂ）は、荷掛部材の正面図である。
【図４】図４（ａ）は、ベース部材の側面図であり、図４（ｂ）は、ベース部材の背面図である。
【図５】被取付部材に取り付けた状態の保持装置の裏側の斜視図である。
【図６】被取付部材に取り付けた状態の保持装置の断面図である。
【図７】図６に示す保持装置の部分断面図である。
【図８】変形例の保持部材の斜視図である。
【図９】被取付部材に取り付けた状態の変形例の保持装置の断面図である。
【発明を実施するための形態】
【００１１】
図１は、被取付部材１２に取り付けた状態の保持装置１０の斜視図である。図１（ａ）は保持装置１０の使用時の状態を示し、図１（ｂ）は保持装置１０の不使用時の状態を示す。
【００１２】
保持装置１０は、例えば車両の座席の背面、車両の内装パネルおよびトランクルームの壁面などの被取付部材１２に埋め込むように取り付けられる。保持装置１０は、被取付部材１２の取付孔１２ａに固定されるベース部材２２と、ベース部材２２に回転可能に支持される荷掛部材２０とを備える。
【００１３】
図１（ａ）に示す保持装置１０の使用時には荷掛部材２０の保持部２４が張り出す張出状態をとり、図１（ｂ）に示す保持装置１０の不使用時には荷掛部材２０の保持部２４が収容される収容状態をとる。張出状態で保持部２４は、傘の柄や袋の紐などの所定部材を保持する。荷掛部材２０が収容状態から張出状態へ移行する回転を開方向の回転といい、荷掛部材２０が張出状態から収容状態へ移行する回転を閉方向の回転という。
【００１４】
図２は、保持装置１０および被取付部材１２の分解図である。被取付部材１２は、ベース部材２２を取り付ける取付孔１２ａと、取付孔１２ａの下端側に凹んで形成される係止凹部１２ｂと、被取付部材１２の裏側で取付孔１２ａの上方に位置する裏側部分１２ｃとを有する。荷掛部材２０およびベース部材２２について新たな図面を参照して説明する。
【００１５】
図３（ａ）は、荷掛部材２０の側面図であり、図３（ｂ）は、荷掛部材２０の正面図である。荷掛部材２０は、保持部２４、軸部２６、閉塞部２８、第１突起３０、第２突起３２、回転制限部３４、基部３６および当接部３８を有する。
【００１６】
一対の軸部２６は、角柱状の基部３６の側部に突出して形成される。なお、軸部２６の回転軸に沿う向きを、単に軸方向という。保持部２４は、基部３６から屈曲して正面側に張り出し、鉤状に形成される。保持部２４は、所定部材を掛けられ、保持する。第１突起３０は、保持部２４から基部３６に向かって突出して形成され、第２突起３２は、基部３６から保持部２４に向かって突出して形成される。第１突起３０および第２突起３２は、保持部２４に保持される所定部材を外れにくくする。
【００１７】
閉塞部２８は、保持部２４から基部３６に渡って形成され、荷掛部材２０の収容状態において、取付孔１２ａを閉塞する閉塞面を構成する。回転制限部３４は、軸部２６から離れた位置で軸方向に延出し、荷掛部材２０を張出状態から収容状態に回転させた際にベース部材２２の壁部４２に当たって荷掛部材２０の回転を制限する。
【００１８】
当接部３８は、基部３６の端面から軸方向に直交する方向に突出し、張出状態において基部３６の上端面から上方に突出する。当接部３８は、ベース部材２２の爪部５０の根元に当接して、爪部５０の変形を抑える。
【００１９】
図４（ａ）は、ベース部材２２の側面図であり、図４（ｂ）は、ベース部材２２の背面図である。ベース部材２２は、枠部４４、軸孔部４６、弾性係止部４８、爪部５０および立設部５２を有する。
【００２０】
枠部４４は、フランジ部４０および壁部４２により矩形状に構成され、荷掛部材２０を囲う。フランジ部４０は、被取付部材１２に取り付けた状態で取付孔１２ａの表側の縁に係止し、ベース部材２２が被取付部材１２の裏側に移動することを止める。壁部４２は、フランジ部４０の内縁から立設して、取付孔１２ａの表側から裏側に延びる。壁部４２の第１辺４４ａには、荷掛部材２０の当接部３８を当てるための当て面４２ａが形成される。
【００２１】
軸孔部４６は、両側の壁部４２にそれぞれ形成され、荷掛部材２０の軸部２６を軸支する。なお、荷掛部材２０に軸部２６およびベース部材２２に軸孔部４６を設ける態様を示したが、この態様に限られず凹凸は逆であってよい。つまり、荷掛部材２０に軸孔部が設けられ、ベース部材２２に軸部が設けられてよい。
【００２２】
爪部５０は、壁部４２の上端側の第１辺４４ａから上方に延出し、取付状態で取付孔１２ａから離れる方向に延出する。爪部５０は、側方から見て円弧状に湾曲して形成される。弾性係止部４８は、壁部４２の下端側の第２辺４４ｂに撓み可能に形成される。爪部５０が被取付部材１２の裏側部分１２ｃに係止し、弾性係止部４８が被取付部材１２の係止凹部１２ｂに係止することで、ベース部材２２が被取付部材１２の表側に抜けないようになる。
【００２３】
立設部５２は、爪部５０の根元側で壁部４２の第１辺４４ａから上方に立設する。立設部５２は、爪部５０より延出長さが短く、取付状態において爪部５０の先端より取付孔１２ａに近い位置で被取付部材１２の裏側部分１２ｃに係止する。立設部５２を形成することで、爪部５０を壁部４２だけでなく立設部５２にも設けることができ、爪部５０を太くして剛性を高くできる。
【００２４】
図２に戻る。ベース部材２２の軸孔部４６に荷掛部材２０の軸部２６を挿入することで、ベース部材２２および荷掛部材２０が一体に組み付けられる。保持装置１０は、ベース部材２２と荷掛部材２０を一体に組み付けた状態で、被取付部材１２の表側から取付孔１２ａに取り付けられる。具体的には、保持装置１０は、爪部５０から取付孔１２ａを通過させ、爪部５０を裏側部分１２ｃに当て、壁部４２の第１辺４４ａおよび立設部５２を支点として回転するように弾性係止部４８を係止凹部１２ｂに押し込み、弾性係止部４８を係止凹部１２ｂに係止させて、取付孔１２ａに取り付けられる。
【００２５】
図５は、被取付部材１２に取り付けた状態の保持装置１０の裏側の斜視図である。図５に示す荷掛部材２０は、張出状態にある。爪部５０の先端が裏側部分１２ｃに当接し、弾性係止部４８が係止凹部１２ｂに係止しており、保持装置１０の表側への抜け止めがなされている。また、立設部５２は、取付孔１２ａの縁に係止しており、爪部５０に大きな負荷がかかることを抑えている。当接部３８は、爪部５０の下側で爪部５０の根元に向かって突出しており、爪部５０の根元の変形を抑えている。
【００２６】
図６は、被取付部材１２に取り付けた状態の保持装置１０の断面図である。また、図７は、図６に示す保持装置１０の部分断面図である。保持部２４に所定部材を掛けた場合、軸部２６を中心軸とする回転モーメントが生じ、基部３６の上端側が裏側から表側に向かって回転しようとして、当接部３８が第１辺４４ａの枠縁５６に当たって、枠部４４の第１辺４４ａを裏側から表側に向かって押し込む。つまり、保持部２４が所定部材を保持した際に生じた回転モーメントが、枠部４４の中心より上方側で受け止められ、爪部５０に荷重がかかる。
【００２７】
ベース部材２２の枠部４４が荷掛部材２０から開方向の回転モーメントを受けた際に、爪部５０が裏側部分１２ｃに当たって反力を受け、被取付部材１２から離れる方向６０に撓む。このとき、当接部３８が、爪部５０の根元端面５４に当接することで、爪部５０の根元を回転支点とした爪部５０の撓みを抑え、爪部５０の経時的な変形を抑えることができる。
【００２８】
図６に示す爪部５０は、被取付部材１２の裏側部分１２ｃに当接することで、被取付部材１２から離れる方向６０に撓み、爪部５０の根元部分が枠部４４の内側に（図６の下方に）変形する。これにより、荷掛部材２０が回転する際に、爪部５０の根元部分が当接部３８の回転に干渉するようになる。具体的には、当接部３８は、荷掛部材２０の開方向の回転によって爪部５０に接近して当り、爪部５０に摺動して、圧入されるように爪部５０の下側に押し込まれて、張出状態で爪部５０の根元端面５４に当接する。これにより、当接部３８が爪部５０に確実に当たって、被取付部材１２から離れる方向６０の爪部５０の変形を抑えることができる。また、当接部３８が根元端面５４に摺動することで、ユーザに操作感を与えることができる。
【００２９】
当接部３８は、張出状態において保持部２４に大きな荷重、例えば所定値以上の荷重が加わった場合、枠部４４の枠縁５６に当接する。つまり、当接部３８は、保持部２４に所定部材が掛けられてない場合は枠縁５６に近接しており、保持部２４に所定値以上荷重の所定部材が掛けられた場合、枠縁５６に当接する。これにより、当接部３８は、荷掛部材２０の回転止めとしても機能することができる。
【００３０】
図８は、変形例の保持装置１００の斜視図である。また、図９は、被取付部材１２に取り付けた状態の変形例の保持装置１００の断面図である。変形例の保持装置１００は、図５に示す保持装置１０と比べて、荷掛部材１２０の形状が異なる。
【００３１】
荷掛部材１２０は、基部３６に形成される当接部１３８および押し当て部１３９を有する。当接部１３８は、張出状態において基部３６の上端面から上方に突出する。押し当て部１３９は、張出状態において基部３６の裏面から上方に突出し、側方から見てＬ字状に形成される。押し当て部１３９は、張出状態で壁部４２の第１辺４４ａより上方に突出する。
【００３２】
当接部１３８は、張出状態において、爪部５０の根元端面５４に当接することで、爪部５０の撓みを抑え、爪部５０の経時的な変形を抑える。当接部１３８は、爪部５０に干渉するように設定されており、回転時に根元端面５４に摺動し、根元端面５４に当接する。
【００３３】
押し当て部１３９は、保持部２４に所定部材を保持させた際に生じる荷掛部材２０の回転モーメントによって爪部５０の裏面５８を押し、爪部５０を被取付部材１２の裏側部分１２ｃに押し当てる。これにより、保持部２４が保持する所定部材の荷重を用いて、爪部５０の変形を抑えることができる。また、押し当て部１３９が爪部５０の裏面５８に当たることで、開方向の回転止めとして機能する。
【００３４】
押し当て部１３９は、図８に示すように張出状態において被取付部材１２の裏側から面直方向に見て爪部５０の少なくとも一部を覆う。つまり、押し当て部１３９の回転軌跡６２上に爪部５０が重なって位置しており、荷掛部材２０が開方向に回転した場合に、押し当て部１３９が爪部５０に当たる構成となっている。これにより、荷掛部材２０が開方向に回転した場合に、押し当て部１３９を爪部５０の裏面５８に押し当てることができる。
【００３５】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【００３６】
実施例では、壁部４２の第１辺４４ａに立設部５２を設ける態様を示したが、さらに、壁部４２の側辺にも別の立設部を設けてよい。例えば、別の立設部は、軸孔部４６の近傍の壁部４２に突出して、取付状態で取付孔１２ａの裏縁に引っ掛かるように形成される。これにより、荷掛部材２０に大きな荷重がかかった場合に、爪部５０に加わる荷重を分散できる。
【符号の説明】
【００３７】
１０  保持装置、  １２  被取付部材、  １２ａ  取付孔、  １２ｂ  係止凹部、  １２ｃ  裏側部分、  ２０  荷掛部材、  ２２  ベース部材、  ２４  保持部、  ２６  軸部、  ２８  閉塞部、  ３０  第１突起、  ３２  第２突起、  ３４  回転制限部、  ３６  基部、  ３８  当接部、  ４０  フランジ部、  ４２  壁部、  ４４  枠部、  ４４ａ  第１辺、  ４４ｂ  第２辺、  ４６  軸孔部、  ４８  弾性係止部、  ５０  爪部、  ５０ａ  リブ、  ５２  立設部、  ５４  根元端面、  ５６  枠縁、  ５８  裏面。
【図１】
2018179218.tif 000003
【図２】
2018179218.tif 000004
【図３】
2018179218.tif 000005
【図４】
2018179218.tif 000006
【図５】
2018179218.tif 000007
【図６】
2018179218.tif 000008
【図７】
2018179218.tif 000009
【図８】
2018179218.tif 000010
【図９】
2018179218.tif 000011